(57)【要約】【課題】寝具等の内部の塵埃やダニを叩き出し、更に布団表面に張り付いた髪の毛等の塵埃を掻き上げる効果を備えた掃除機用吸込具と、捕集したダニを集塵室内で死滅させる電気掃除機を提供する。【解決手段】寝具等の塵埃を清掃除去する為の寝具等清掃用具に回転自在に収着されると共に、外周長手方向に少なくとも１条の支持溝を有するロータと下端に前記支持溝に挿入される基部を有し被清掃面の塵埃やダニ等を除去する為の清掃体を有する回転清掃体において、前記清掃体は寝具等の被清掃面を叩く為の叩打部を有するもので、叩打部が回転しながら被清掃面を叩くことによって塵埃を叩き出しながら掻き上げて除去することができる。さらに、支持溝を有するロータと下端に支持溝に挿入される基部を有した清掃体で構成されているので、可撓性を有する部材で清掃体を形成することで被清掃面への叩き出し効果を更に向上させた回転清掃体を提供できる。【選択図】図９
2015109940.tif 000002
【特許請求の範囲】
【請求項１】
寝具等の塵埃を清掃除去する為の寝具等清掃用具に回転自在に収着されると共に、外周長手方向に少なくとも１条の支持溝を有するロータと下端に前記支持溝に挿入される基部を有し被清掃面の塵埃を除去する為の清掃体を有する回転清掃体において、前記清掃体は寝具等の被清掃面を叩く為の叩打部を有することを特徴とした回転清掃体。
【請求項２】
清掃体は、被清掃面側端部近傍に叩打部を有することを特徴とする請求項１に記載の回転清掃体。
【請求項３】
清掃体は、該清掃体の長手方向に対して叩打部を分割する打撃強化空間を被清掃面側端部に有することを特徴とする請求項１又は２に記載の回転清掃体。
【請求項４】
清掃体は、重量体を有することを特徴とする請求項１〜３のいずれか１項に記載の回転清掃体。
【請求項５】
清掃体は、叩打部の略両端部から基部に延設する腕部が形成されて、撓み促進空間部が形成されることを特徴とする請求項１〜４のいずれか１項に記載の回転清掃体。
【請求項６】
請求項１〜５のいずれか１項に記載の回転清掃体を回転自在に設けた掃除機用吸込具。
【請求項７】
本体と、電動送風機と、前記本体に形成されると共に前記電動送風機と連通する吸込口と、集塵室と、前記電動送風機の排気を前記集塵室に循環させる循環風路と、請求項１〜５のいずれか１項に記載の回転清掃体とを備えた電気掃除機。
【発明の詳細な説明】
【技術分野】
【０００１】
本発明は、寝具等の塵埃を清掃除去する為の回転清掃体、掃除機用吸込具及び電気掃除機に関するものである。
【背景技術】
【０００２】
従来の寝具等の塵埃を清掃除去する為の清掃体として、被掃除面に振動部材を備え、その底面に複数の吸引口を有したものが開示されている（例えば、特許文献１参照）。また、複数の筒体製のビータで形成され被掃除物を叩打する叩打体を、吸塵開口を略閉塞するように並列的に複数並べたものも開示されている（例えば、特許文献２参照）。
【０００３】
また、塵埃を吸引する開口の前後に、回転自在に設けられ外周に複数の突起を有する回転体を備えたものも開示されている（例えば、特許文献３参照）。
【先行技術文献】
【特許文献】
【０００４】
【特許文献１】特開２０１０−２２７６３６号公報
【特許文献２】特開平０９−４７３８９号公報
【特許文献３】特開２００７−２１５８１４号公報
【発明の概要】
【発明が解決しようとする課題】
【０００５】
しかしながら、上記特許文献１に記載されたような従来の振動部材では、振動部材の底面を被掃除面に押し当てて振動させているだけなので、被掃除面上に付着した髪の毛等の塵埃を掻き上げる事が困難であるという課題があった。また、上記特許文献２に記載されたような従来の回転清掃体の構成では、叩打体が複数の筒体製のビータで形成されている為、被掃除面に張り付いた髪の毛等の塵埃を掻き上げる事が困難であるという課題があった。また、叩打体は吸込み圧力により振動する構成なので、被掃除面の叩き出し力が十分に得られないという課題があった。
【０００６】
また、上記特許文献３に記載されたような従来の回転清掃体の構成では、外周に突起を設けた回転体を電気掃除機用吸込具の移動する動きを利用して回転させる構成である為、回転体が被清掃面に対して連れ回りとなり叩き出し力が弱くなるといった課題があった。
【０００７】
本発明は、前記従来の課題を解決するもので、寝具等の内部にある塵埃やダニを叩き出し、更に寝具等の表面に張り付いた髪の毛等の塵埃を掻き上げる効果を備えた回転清掃体及び掃除機用吸込具、及び前記効果を備えると共に捕集したダニを集塵室内で死滅させる効果を備えた電気掃除機を提供することを目的とする。
【課題を解決するための手段】
【０００８】
前記従来の課題を解決するために、本発明の回転清掃体は、寝具等の塵埃を清掃除去する為の寝具等清掃用具に回転自在に収着されると共に、外周長手方向に少なくとも１条の支持溝を有するロータと下端に前記支持溝に挿入される基部を有し被清掃面の塵埃を除去する為の清掃体を有する回転清掃体において、前記清掃体は寝具等の被清掃面を叩く為の叩打部を有するもので、叩打部が回転しながら被清掃面に衝突することで、塵埃やダニ等を叩き出しながら掻き上げて除去することができる。さらに、支持溝を有するロータと下端に支持溝に挿入される基部を有した清掃体で構成されているので、可撓性を有する部材で清掃体を形成することができ、被清掃面への叩き出し効果を更に向上させた回転清掃体を提供できる。
【０００９】
また、本発明の掃除機用吸込具は、請求項１〜５のいずれか１項に記載の回転清掃体を回転自在に設けたもので、叩打部で寝具等を叩き出して被清掃面内部の塵埃やダニ等の害虫を清掃除去することができる掃除機用吸込具を提供する事ができる。
【００１０】
また、本発明の電気掃除機は、本体と、電動送風機と、前記本体に形成されると共に前記電動送風機と連通する吸込口と、集塵室と、前記電動送風機の排気を前記集塵室に循環させる循環風路と、請求項１〜５のいずれか１項に記載の回転清掃体とを備えたもので、電動送風機の排気を循環させることで集塵室内の温度を上昇させ、集塵室内のダニを死滅させることができる電気掃除機を提供できる。
【発明の効果】
【００１１】
本発明の回転清掃体は、被清掃面内部の塵埃等を叩き出し及び表面に張り付いた塵埃等を掻き上げて効率良く除去するもので、これを使用することにより塵埃除去性能及び害虫除去性能に優れた掃除機用吸込具と、害虫殺傷性能に優れた電気掃除機を提供することができる。
【図面の簡単な説明】
【００１２】
【図１】（ａ）本発明に係る回転清掃体の斜視図、（ｂ）同回転清掃体の拡大断面図
【図２】本発明を構成する清掃体の斜視図
【図３】同清掃体の重なりを示す図
【図４】同清掃体の断面の一例を示す図
【図５】本発明に係る掃除機用吸込具の展開斜視図
【図６】図５に記載の掃除機用吸込具の使用状態を示す断面図
【図７】本発明に係る電気掃除機の斜視図
【図８】同電気掃除機の底面図
【図９】同電気掃除機の吸引状態を示す断面図
【図１０】同電気掃除機の吸引風によりダニ駆除している状態を示す断面図
【図１１】同電気掃除機の排気循環している状態を示す断面図
【図１２】（ａ）同電気掃除機に装着する伸縮ハンドルを伸張した状態の斜視図、（ｂ）伸縮ハンドルを同電気掃除機に装着した状態の断面図
【図１３】本発明に係る他の実施例を示す電気掃除機の底面図
【図１４】同電気掃除機の大型車輪の斜視図
【図１５】同電気掃除機の吸引状態を示す要部断面図
【発明を実施するための形態】
【００１３】
第１の発明は、寝具等の塵埃を清掃除去する為の寝具等清掃用具に回転自在に収着されると共に、外周長手方向に少なくとも１条の支持溝を有するロータと下端に前記支持溝に挿入される基部を有し被清掃面の塵埃を除去する為の清掃体を有する回転清掃体において、前記清掃体は寝具等の被清掃面を叩く為の叩打部を有するもので、叩打部が回転しながら被清掃面に衝突することで、塵埃やダニ等を叩き出しながら掻き上げて除去することができる。さらに、支持溝を有するロータと下端に支持溝に挿入される基部を有した清掃体で構成されているので、可撓性を有する部材で清掃体を形成することもできる。そのため、回転清掃体が回転した際に清掃体が撓むことができるようになる為、被清掃面への叩き出し効果を向上させた回転清掃体を提供できる。
【００１４】
第２の発明は、第１の発明の清掃体は被清掃面側端部近傍に叩打部を有するもので、叩打部が被清掃面側端部近傍にあることで、被清掃面に対する叩打部の衝突速度を増すことができると共に、叩打部が被清掃面の奥深くまで入り込み叩き出すことができる。これにより叩打部をより高速で被清掃面に衝突させることができ、確実に被清掃面内部の塵埃やダニ等の害虫を清掃除去できる。
【００１５】
第３の発明は、第１又は第２の発明の清掃体は該清掃体の長手方向に対して叩打部を分割する打撃強化空間を被清掃面側端部に有するもので、叩打部が被清掃面を叩き出す力を強化できる。
【００１６】
第４の発明は、第１〜３のいずれか一つの発明の清掃体は重量体を有するもので、被清掃面を清掃体で強力に叩き出す事ができる。
【００１７】
第５の発明は、第１〜４のいずれか一つの発明の清掃体は叩打部の略両端部から基部に延設する腕部が形成されて、撓み促進空間部が形成されるもので、清掃体が撓みやすくなることで被清掃面を効果的に叩き出すと共に、腕部によって塵埃をこそぎ取るようにして除去できる。
【００１８】
第６の発明に係る掃除機用吸込具は、請求項１〜５のいずれか１項に記載の回転清掃体を備えたもので、叩打部で寝具等を叩き出して被清掃面内部の塵埃やダニ等の害虫を除去すると共に、被清掃面に張り付いた髪の毛等の塵埃を掻き上げることができる掃除機用吸込具を提供できる。
【００１９】
第７の発明に係る電気掃除機は、本体と、電動送風機と、前記本体に形成されると共に前記電動送風機と連通する吸込口と、集塵室と、前記電動送風機の排気を前記集塵室に循環させる循環風路と、請求項１〜５のいずれか１項に記載の回転清掃体とを備えたもので、電動送風機の排気を循環させることで集塵室内の温度を上昇させ、集塵室内のダニを死滅させる電気掃除機を提供できる。
【００２０】
以下、本発明の実施の形態について、図面を参照しながら説明する。なお、この実施の形態によって本発明が限定されるものではない。
【００２１】
（実施の形態１）
図１（ａ）は、本発明に係る回転清掃体の斜視図、図１（ｂ）は、同回転清掃体の拡大断面図、図２は、本発明を構成する清掃体の斜視図、図３は、同清掃体の重なりを示す図、図４は、同清掃体の断面の一例を示す図である。
【００２２】
図１（ａ）において、本実施の形態における回転清掃体１は、樹脂または金属材料を押し出し成形してロータ２の長手方向に形成された支持溝３に、清掃体７の下端にある基部４が挿入されて構成されている。清掃体７として、エラストマーやゴムなど可撓性に優れた材料で形成されたブレード体６と、基部に細径糸から成るブラシを植設して構成されたブラシ体５が使用されている。また、ブレード体６の被清掃面側端部１０には断面略円形の叩打部８が形成され、叩打部８から基部４に延設する腕部９が形成されている。
【００２３】
図１（ｂ）に示すように、ロータ２の支持溝３は、ロータ２の回転中心Ｃを通ると共に清掃体７の長手方向に垂直な中心線Ｃ．Ｌ．を超えて位置するように形成されている。
【００２４】
その為、清掃体７の基部４を支持溝３に挿入した回転清掃体１を、図１において時計回りに回転させた時には、清掃体７は被清掃面に対して清掃体７の先端部が突き刺さるように当接することができる。その為、被清掃面の塵埃を強力に掻き上げて清掃できる。そして、同時に被清掃面のより深くまで叩き出すことができる。
【００２５】
また、回転清掃体１を、図１において反時計回りに回転させた時には、清掃体７は被清掃面に対して清掃体７の側面が被清掃面を撫でるように当接することができる。その為、被清掃面の塵埃を撫でるように掃き掃除でき、被清掃面を傷つけず清掃残りがないように適切に清掃できる。また、反時計回りの場合は、主に清掃体７の側面を被清掃面に当接することになる。そのため、一回の当接で広い面積を叩き出すことができる。
【００２６】
このように、ロータ２の回転方向を選択する事により、異なった清掃と叩きの効果を有する回転清掃体１となる。
【００２７】
また、ロータ２の形状は上記構成に限定されるものではない。例えば、清掃体７が略放射状となるロータ、すなわち、清掃体７がロータ２の回転中心Cから周方向に放射状に形成されたロータであっても本発明に含まれる。
【００２８】
なお、回転清掃体１を清掃用具に取り付けて回転自在に使用する際は、ロータ２の両端部にホルダー（図示せず）と軸受け（図示せず）を圧入して使用する。
【００２９】
また、本実施例ではロータ２を押し出し成形によって形成しているが、押し出し成形に限定されるものではなく、インジェクション成形等の他の手段によって形成しても構わない。
【００３０】
図１（ａ）では、ブレード体６やブラシ体５のように清掃体７の高さが均一な清掃体を使用しているが、図２に示すように清掃体の被清掃面側端部に叩打部を分割する空間を設けても良い。例えば、図２（ａ）の清掃体７ａでは、叩打部８ａを分割するように被清掃面側端部１０ａから打撃強化空間１１ａを設けており、打撃強化空間１１ａは基部４ａから伸びる腕部９ａの一部まで形成されている。図１（ａ）のロータ２のように支持溝３を真っ直ぐ形成したロータに清掃体７ａを挿入して回転させた場合、打撃強化空間１１ａを形成することで被清掃面と叩打部８ａの接触面積は小さくなる。そのため、被清掃面を叩く速度が同じであっても、接触部分における打撃力は強化され、被清掃面の奥深くまで叩き出すことができる。また、ロータ２の支持溝３を螺旋状に形成した場合には、叩打部８ａが滑らかに被清掃面に当接するため、被清掃面の巻き込みや傷つけることを防止できる。また、図２（ｂ）に示す清掃体７ｂでは、曲線的に形成した打撃強化空間１１ｂを被清掃面側端部１０ｂに設けている。また、清掃体７ｂの厚みを基部４ｂから伸びる腕部９ｂより厚くすることで叩打部８ｂを形成している。
【００３１】
図２（ｃ）に示す清掃体７ｃは、被清掃面側端部１０ｃに略球状の叩打部８ｃが形成され、叩打部８ｃの端部１４、１４から基部４ｃ、４ｄに延設する腕部９ｃ、９ｄが形成され、基部４ｃ、４ｄ間を腕部９ｃ、９ｄと叩打部８ｃで橋渡すように接合して構成されている。そして、基部４ｃと基部４ｄを長手方向に位置をずらして、すなわち、同一の叩打部８ｃの端部１４、１４から伸びた腕部９ｃ、９ｃが基部４ｃ、４ｄと接合している部分が重ならないよう組み合せることで略円弧状に腕部９ｃ、９ｄと叩打部８ｃを形成している。このように構成することで、叩打部８ｃ、８ｃ間には打撃強化空間１１ｃが形成され、更に叩打部８ｃの端部１４、１４から伸びる腕部９ｃ、９ｄ間に撓み促進空間部１５が形成される。これにより腕部９ｃ、９ｄが撓み易くなり、叩打部８ｃをムチ打つように被清掃面に叩きつけることができる。更に、塵埃を撓み促進空間部１５内に入れて、叩打部８ｃと腕部９ｃ、９ｄでこそぎ取るようにして除去できるため、清掃効果が向上する。
【００３２】
図３（ａ）は同一のロータに挿入される清掃体７ｂ、７ｄを示している。また、図３（ｂ）は清掃体７ｂ、７ｄを重ね合わせた状態を示している。清掃体７ｄは、図３（ａ）に示すように、清掃体７ｂの叩打部８ｂの位置に打撃強化空間１１ｄが、清掃体７ｂの打撃強化空間１１ｂの位置に叩打部８ｄが形成されている。このように、叩打部と打撃強化空間の位置が長手方向に入れ替わるように形成されているため、図３（ｂ）に示すように清掃体７ｂと清掃体７ｄは重なり合わない形状となっている。この清掃体７ｂと清掃体７ｄをロータ２に挿入すると、清掃体７ｂでは叩くことができない打撃強化空間１１ｂに対向する被清掃面を、清掃体７ｄの叩打部８ｄが叩き出すことができる。このように清掃体を構成することで、清掃体に打撃強化空間を設けても被清掃面全体を叩き出すことができる。
【００３３】
図４は本発明を構成する清掃体の断面の一例を示す図である。図４（ａ）は、清掃体の全長の被清掃面側３分の１の部位に、清掃体の重量の８０％を占める叩打部８ｅが形成されたものを示している。図４（ｂ）は、叩打部８ｆが断面略四角に形成されたものを示している。図４（ｃ）は、断面略円形に形成された叩打部８ｇの中に、金属又は樹脂材料で形成された重量体１２が埋め込まれたものを示している。図４（ｄ）は、叩打部８ｈを片側に偏らせて形成したものを示している。図４（ｅ）は、叩打部８ｉと基部のみで形成されたものを示している。図４（ｆ）は、清掃体を折り返して叩打部８ｊを形成すると共に、叩打部８ｊ内に形成した空間部に重量体１２ａを入れた後に、縫製又は接着により固定したものを示している。図４（ｇ）は、腕部と同一の厚みの叩打部８ｋを被清掃面側端部に有するものである。図４（ｈ）は、ブラシ体の被清掃面側端部１０ｎの近傍を金属又は樹脂材料で形成された結束部材１３で結束して叩打部８ｎを形成したものを示している。これらの形状は、本発明に使用する清掃体の断面形状の一例であり、叩打部を有する断面であれば、本発明に使用する清掃体に含まれるものである。このように、叩打部を有する清掃体とし、清掃体を回転させながら使用することで、被清掃面内部の塵埃やダニ等の害虫を叩き出すと同時に、表面に付着した髪の毛等の塵埃を掻き上げることができる。そのため、特に寝具の異物除去性能は従来のものと比較して、大幅に向上させることが可能となる。
【００３４】
（実施の形態２）
図５は、本発明に係る掃除機用吸込具の展開斜視図であり、図６は、図５に記載の掃除機用吸込具の使用状態を示す断面図である。
【００３５】
図５において、掃除機用吸込具３０の外郭は、上蓋（図示せず）と、前方底部に吸込口３９を有する下ケース３１で形成され、前記吸込口３９に臨むように回転自在に配された回転清掃体１ａと、その回転清掃体１ａをギヤ３３を介して回転駆動する駆動用車輪３２で構成されている。
【００３６】
回転清掃体１ａのロータ２ａは長手方向へ螺旋状に形成されている。また、ロータ２ａの一端に圧入されると共にギヤ３３と噛み合うプーリー付きホルダー３４と、ロータ２ａの他端に圧入される軸受けホルダー３５と、プーリー付きホルダー３４と軸受けホルダー３５のそれぞれに設けた回転軸（図示せず）に圧入される軸受け３６から構成されている。
【００３７】
駆動用車輪３２とギヤ３３は同軸上に配置されているため、駆動用車輪３２の回転は、回転方向が反転されて回転清掃体１ａに伝達される。つまり、図５において掃除機用吸込具３０を前進させた場合は、駆動用車輪３２は時計回りであるが、回転清掃体１ａは反時計回りとなる。一方、掃除機用吸込具３０を後進させた場合は、駆動用車輪３２は反時計回りであるが、回転清掃体１ａは時計回りとなる。このように構成することで、掃除機用吸込具３０を前進させた際に、被清掃面と清掃体７ｅとの相対速度が上がり、より強く被清掃面を叩き出すことができる。
【００３８】
また、図６に示すように掃除機用吸込具３０内には、回転清掃体１ａの清掃体７ｅに接するしなり増進部２０ａ、２０ｂが形成されている。従って、回転清掃体１ａが時計回り（矢印ｂ方向）に回転した場合は、しなり増進部２０ａに清掃体７ｅが当接した際に、清掃体７ｅにしなりが生じるため、清掃体７ｅの復元力によってより強力に被清掃面１００を叩き出すことが出来る。また、反時計回り（矢印ａ方向）に回転した場合には、しなり増進部２０ｂに清掃体７ｅが当接すると共に、清掃体７ｅの側面がロータ２ａに当接した後に被清掃面１００に当接するため、時計回りの時と異なる叩打力を被清掃面１００に与えることができる。
【００３９】
（実施の形態３）
図７は、本発明に係る電気掃除機の斜視図、図８は、同電気掃除機の底面図、図９は、同電気掃除機の吸引状態を示す断面図、図１０は、同電気掃除機の吸引風によりダニ駆除している状態を示す断面図、図１１は、同電気掃除機の排気循環している状態を示す断面図である。
【００４０】
図７及び図８に示すように、電気掃除機４０は本体４１の底面に被清掃面に対向して開口する吸込口４３と、被清掃面上で走行する為の自在車輪５３と車輪５４を備え、本体４１後部に電気掃除機４０へ電源を供給する為の本体側コード６０、電源側コード６１、電源プラグ６３、本体側コード６０及び電源側コード６１を巻き取るコードリール６２を備えている。本実施の形態では、コードリール６２を電気掃除機４０に収納する必要がない為、本体４１の軽量化が図れると共に、コンパクトな電気掃除機を提供することができる。
【００４１】
また、吸込口４３内には被清掃面の塵埃等を清掃除去するための回転清掃体１ｂが回転自在に配されている。この回転清掃体１ｂは長手方向へ螺旋状に形成されており、清掃時には本体４１に内蔵する駆動モータ（図示せず）によって強制的に回転される。このように駆動モータで強制的に回転清掃体１ｂを回転させる場合、特に、寝具のシーツなどを回転清掃体１ｂで吸込口４３内に巻き込んでしまう恐れがある。しかし、本実施の形態のように回転清掃体１ｂを螺旋状に形成すると、清掃体が滑らかに被清掃面に順次当接するようになるため、被清掃面の巻き込みや傷つけることを防止できる。なお、本実施の形態では、本体４１の底面に吸込口４３を備えているが、実施の形態２の如くの掃除機用吸込具を接続した本体であってもよい。
【００４２】
図９は電気掃除機４０の清掃時の吸引状態を示す断面図である。本体４１内には、吸込み気流が流入する開口５７を形成すると共に集塵フィルタ４７を内蔵した集塵室４４を本体前部に備え、本体４１後部に電動送風機４２を内蔵した電動送風機室５５を備えている。そして、前面に集塵室４４及び吸込口４３と連通する吸引風路５６を備えている。また、電動送風機室５５からの排気を外部に排出する為の排気口４９が本体４１後部に開口され、電動送風機室５５から排気口４９までの経路に排気フィルタ４８が配されている。この排気フィルタ４８及び集塵フィルタ４７は、一般的なシート状のフィルタ以外に、濾過面積が広いプリーツフィルタを使用しても良い。
【００４３】
また、吸引風路５６内には吸込口４３から流入した吸込み気流を遮蔽するシャッター５２ａを備えている。さらに、集塵室４４の開口５７の開口面積を調節するシャッター５２ｂも備えている。そして、本体４１上部には吸引弁５１が形成され、その一端は揺動自在に本体４１へ装着されているが、バネ体（図示せず）によって常時外方へ付勢されている。そのため、電動送風機４２の停止時には吸引弁５１は閉成されている。電動送風機４２が動作して吸引風路５６内の負圧が高まると、吸引弁５１は吸引風路５６側に開成され、清掃によって舞い上がった空気中のハウスダストや花粉を吸引する。
【００４４】
また、電動送風機室５５と吸引風路５６を連通させる循環風路４５を備え、電動送風機室５５内であって電動送風機４２の後面には、電動送風機４２からの排気を加熱する為の発熱体４６が配されている。発熱体４６は、使用目的に応じてニクロム線やＰＴＣサーミスタ、放熱板等、発熱性能を有する様々なものを使用することができる。また、好適には、ＰＴＣサーミスタに放熱板を付加した構成のものを使用できる。ＰＴＣサーミスタに放熱板を付加した場合には、電動送風機４２からの排気をより早く加熱させることができる。
【００４５】
また、集塵室４４の吸込み気流の上流側には、上下動自在に形成されたシャッター５２ｂが配され、駆動源（図示せず）により上下動される。シャッター５２ｂが下降すると開口５７の一部を閉塞して、吸込み気流が通過する開口５７の開口面積を小さくできる。
【００４６】
さらに、吸引風路５６内には開閉自在に形成されたシャッター５２ａが配され、駆動源（図示せず）により開閉される。シャッター５２ａが閉成すると吸引風路５６は閉塞され、電動送風機４２が運転して生成された負圧が吸込口４３へ作用する事を防ぐことができる。すなわち、シャッター５２ａを閉成すると吸込口４３からの吸込み気流の流入を止めることができる。
【００４７】
図１２（ａ）は電気掃除機４０に接続する伸縮ハンドル６５を示している。伸縮自在に形成された伸縮部６７の一端に使用者が手に持つ持ち手部６６を備え、他端には電気掃除機４０と接続するための接続部６８を備えている。伸縮ハンドル６５は、ハンドル５０に代わって使用者が手に持って操作する為のもので、本体４１上部に形成された挿入穴６４に接続部６８を挿入及び固定して使用する。
【００４８】
（実施の形態４）
図１３は、本発明に係る他の実施例を示す電気掃除機の底面図、図１４は、同電気掃除機の大型車輪の斜視図、図１５は、同電気掃除機の吸引状態を示す要部断面図である。
【００４９】
図１３に示すように、電気掃除機７０は本体７１の底面に被清掃面に対向して開口する吸込口７３を備え、被清掃面上で走行する為の自在車輪５３と大型車輪７４を備えている。そして、吸込口７３の左右には吸引溝８０が吸込口７３から本体７１の端部にわたって２本ずつ形成されている。また、吸込口７３は後述する吸引開口８４によって吸引溝８０と連通しているため、吸込口７３に作用した吸引力は吸引開口８４、吸引溝８０を経て隙間８１まで達する構成となっている。また、図１４に示すように、大型車輪７４の外周には大きな凹部８２が複数形成されている。
【００５０】
このように凹部８２を形成したことで、図１５に示すように布団等の寝具上で使用した時でも大型車輪７４の凹部８２は被清掃面１００に埋もれることがない。また、回転清掃体１ｃは、先端に掻き取り凸部８３が形成された叩打部８ｑを有するブレード体６ｑとブラシ体６ｐを備えている。これらをロータ２ｃに挿入することでブレード体６ｑ及びブラシ体６ｐが回転中心から放射状に伸びた回転清掃体１ｃとしている。そして、吸込口７３の大型車輪７４側の壁面には吸引開口８４が２箇所形成され、吸引開口８４は本体７１の底面に形成された吸引溝８０にそれぞれ連通している。
【００５１】
以上のように構成された本実施の形態における回転清掃体１ａ、１ｂ及びそれを搭載した掃除機用吸込具３０及び電気掃除機４０の動作、作用を説明する。
【００５２】
図５及び図６に示すように、電気掃除機に連通接続された延長管の先端に掃除機用吸込具３０の接続パイプ３７を接続し電気掃除機を運転すると、吸引風路３８を通じて吸込口３９に吸引力が作用し、塵埃等と共に空気が吸込口３９より吸引されて、吸引風路３８、延長管（図示せず）を経て電気掃除機の掃除機本体（図示せず）へと送られる。
【００５３】
清掃時に掃除機用吸込具３０を前後に移動させると、前進時と後進時で駆動用車輪３２の回転方向が切り替わるので、図６に示すように回転清掃体１ａの回転方向も前進時には矢印ａ、後進時には矢印ｂと切り替わる。この時、掃除機用吸込具３０内には、回転清掃体１ａの清掃体７ｅに接する邪魔体として、しなり増進部２０ａ、２０ｂが形成されている。そのため、清掃体７ｅが被清掃面１００に叩きつけられる直前に弓状にしなった状態になってから叩打部８ｐが被清掃面１００に叩きつけられ、より効果的に被清掃面１００の叩き出しができる。
【００５４】
また、回転清掃体１ａは図５に示すように螺旋状に形成されている。この場合、ブレード体６ｐも同様に螺旋状となるため、清掃体の高さが均一なブレード体６ｐである場合は、回転清掃体１ａの回転によって被清掃面１００にブレード体６ｐの一部が被清掃面１００に順次当接することになる。そして、被清掃面１００にブレード体６ｐの一部が当接して屈曲すると、次に当たるブレード体６ｐも屈曲してから当接してしまう。そのため、常に撫でるようにブレードが被清掃面１００に当たるため、叩き出し効果が弱まってしまう。
【００５５】
そこで、例えば図２（ａ）に示すような打撃強化空間１１ａが形成された清掃体７ａを回転清掃体１ａに装着すると、回転時に叩打部８ａの一つが当接して屈曲した場合にも、次に当接する隣の叩打部８ａには屈曲が伝わらず、順次断続的に被清掃面１００を確実に叩き出すことができる。
【００５６】
次に、図９〜図１１を用いて本発明の回転清掃体を備えた電気掃除機４０の動作について説明する。
【００５７】
本体４１に形成された電源スイッチ（図示せず）入れて運転を開始すると、電動送風機４２が生成する吸引力が電気掃除機４０の集塵室４４を経て、吸引風路５６、吸込口４３の順に作用し、吸込口４３から被清掃面１００の塵埃と共に空気が吸引され、吸引風路５６を経て、集塵室４４に開口５７から流入する。そこで集塵フィルタ４７によって塵埃と空気が分離され、分離後の空気は、電動送風機４２を通過し、最後に電気掃除機４０の後面に設けた排気フィルタ４８で細かな塵埃を更に取り除いて排気口４９から外部に排出される。この時、シャッター５２ａ、５２ｂは開成されており、特にシャッター５２ａは図９に示すように循環風路４５を閉塞して、清掃中に排気が循環しないようにしている。
【００５８】
また、被清掃面１００の塵埃は吸込口４３内に設けられた回転清掃体１ｂによって叩き出される。回転清掃体１ｂは、本体４１内に設けられた駆動モータ（図示せず）によって強制的に回転される。また、吸込口４３近傍には、しなり増進部２０ｃが形成されているため、回転清掃体１ｂの清掃体７ｑを撓ませてから被清掃面１００に叩きつけることができる。
【００５９】
また、前述の実施の形態２と同様に、しなり増進部２０ｃを回転清掃体１ｂの後方にも形成し、更に、回転清掃体１ｂの回転方向をギヤ（図示せず）によって反転させることで、正逆両回転自在にしても良い。
【００６０】
また、回転清掃体１ａの回転数は、使用目的に応じて適宜設定できる。被清掃面１００が布団等の寝具の場合においては、回転数５００ｒｐｍ〜１５００ｒｐｍが好適に使用できる。回転数５００ｒｐｍ未満においては、当接時に清掃体のバタつきが発生しやすく、清掃体が変形しやすいため、被清掃面１００を傷つけやすく、かつ、叩き効果も不十分になりやすい。
【００６１】
また、回転数が１５００ｒｐｍ以上では叩きは連続的になるが、１回の当接時で変形した被清掃面１００が元に戻る前に次の当接されるため、叩き効果が十分得られない。回転数５００ｒｐｍ〜１５００ｒｐｍにおいては、的確かつ断続的に清掃体７ｑが被清掃面１００を叩き、１回の叩き効果が十分得られる。
【００６２】
吸引弁５１は、吸引風路５６の負圧が高まると吸引風路５６側に開成される。これにより寝具等を清掃すると同時に、清掃によって舞い上がった空気中のハウスダストや花粉を吸引することができる。
【００６３】
また、電気掃除機４０を寝具等に押し付けるように使用すると、吸込口４３が被清掃面１００に密着して負圧の逃げ場がなくなり、吸込口４３が被清掃面１００に張り付こうとする。しかし、吸引弁５１はバネ体（図示せず）で付勢して閉成されているだけなので、吸込み気流が吸引弁５１を吸引風路５６側に押し開いて流入し、吸引風路５６内の負圧が過剰に高まることを防ぐことができる。このように吸引弁５１が動作することで、電気掃除機４０が負圧によって被清掃面１００に張り付くこともなく、使用者は軽い力で電気掃除機４０を寝具等の上で移動させことができる。
【００６４】
図１０は、電気掃除機４０の吸引風によってダニ駆除している状態を示す断面図である。この時、シャッター５２ａは開成されており、吸込口４３から吸込み気流が集塵室４４へと流入する。一方、シャッター５２ｂは集塵室４４の開口５７の一部を閉塞している。開口５７の一部が閉塞されても、電動送風機４２の生成する負圧は変わらないので、集塵室４４内に流入する吸引風の流速が早くなる。そして、早い流速で集塵室４４内の塵埃を集塵フィルタ４７に衝突させることができる。これにより、集塵室内に生き残っているダニ等の害虫を死滅させることができる。
【００６５】
特に家庭に多く生息しているコナヒョウヒダニやヤケヒョウヒダニは、キャニスター型の電気掃除機であれば吸引するだけで風路や集塵袋等に衝突して全て死滅してしまう。しかし、電気掃除機４０のようなハンディ型の電気掃除機では、本体の軽量化のため小型の電動送風機が採用される事が多く、吸引仕事率はキャニスター型に比べ大きく劣る。そのため、電気掃除機４０のようなハンディ型の電気掃除機では、ダニを吸引しても集塵室内で一部のダニが生存している。前述の吸引風によるダニ駆除は、このような集塵室内で生存しているダニを確実に死滅させるための機能であるため、使用者が任意のタイミングで本機能を実行する以外に、本体４１のスイッチ（図示せず）を押して電気掃除機４０の運転を停止した後に自動的に吸引風によるダニ駆除が実行されても良い。
【００６６】
図１１は、電気掃除機４０の排気循環している状態を示す断面図である。この時、シャッター５２ａは吸引風路を完全に閉塞している。この状態で電動送風機４２を運転させると、生成された吸引力は集塵室４４を経てシャッター５２ａの後部の吸引風路５６、循環風路４５、電動送風機室５５の順に作用する。そのため、集塵室４４から流入して電動送風機４２を通過した空気は循環風路４５を通り、シャッター５２ａの後部の吸引風路５６を通過し、開口５７を通って再び集塵室４４へと流入する。この時、電動送風機室５５内に配された発熱体４６によって電動送風機４２の排気は加熱されている。
【００６７】
このようにして電気掃除機４０内で排気が循環すると、電動送風機４２の排気熱および発熱体４６の熱も循環することとなり、次第に集塵室４４内の温度が上昇していく。所定温度に達するまで加熱されると、温度センサー（図示せず）の信号によって電動送風機４２の運転が停止又は弱まることで、この温度が所定時間維持される。これにより、集塵室内に生き残っているダニ等の害虫を死滅させることができる。本機能は、使用者が任意のタイミングで実行する以外に、本体４１のスイッチ（図示せず）を押して電気掃除機４０の運転を停止した後に自動的に本機能が実行されても良い。また、前述の吸引風によるダニ駆除の機能と併用することで、確実にダニ等の害虫を死滅させる事ができる。
【００６８】
なお、本実施の形態では発熱体４６を電動送風機室５５内に配したが、循環風路４５内に設けても良い。また、言うまでもないが発熱体４６は必須の構成ではない。電動送風機４２を構成するモータ（図示せず）を大型にしたものを用いれば、発熱体４６を取り付けなくとも電動送風機４２の排気熱のみで集塵室４４内の温度を十分上昇させることもできる。
【００６９】
また、排気循環する場合おいて、集塵フィルタ４７に薬剤を塗布したり、付加機能を有する素材を使用したフィルタを使用すると特に有効である。例えば、ダニ等の害虫駆除、アレルゲン物質の無害化、花粉の捕集等の機能をフィルタに持たせた場合、循環した空気が何度も集塵フィルタ４７を通過するので、目的の効果を効率良く作用させられる。
【００７０】
次に、図１２に示す伸縮ハンドル６５について説明する。伸縮ハンドル６５は、使用者が電気掃除機４０を使用する時にハンドル５０に代わって手で持つもので、本体４１に形成された挿入穴６４に接続して使用する。伸縮ハンドル６５は、目的に応じて伸縮部６７を伸縮して長さを調整することができる。これにより、電気掃除機４０を使用者が立ったまま使用したり、膝をついて使用したりする場合に適切な長さに調整できる。そのため、腰をかがめて電気掃除機４０を使用することが困難であったり、排気口４９から出る排気が顔や体に当たるのを避けたい場合には、この伸縮ハンドル６５を接続することで自由な体勢で電気掃除機４０を使用できる。
【００７１】
次に、図１３〜図１５を用いて本発明の他の実施例を示す電気掃除機７０の動作について説明する。電気掃除機７０は複数の凹部８２が形成された大型車輪７４を備えているので、布団等の寝具に本体７１を押し当てていても、吸込口７３から吸引開口８４を通過し吸引溝８０を経て隙間８１及び凹部８２へと連なる風路が常に確保される。そのため、電動送風機（図示せず）で発生した吸引力により本体７１が被清掃面１００に張り付く事を防止する事ができる。また、被清掃面１００に吸込口７３が密着した状態でも隙間８１及び凹部８２から塵埃を吸引し続けることができるため、被清掃面１００上の塵埃や空気中のハウスダストや花粉を常に吸引することができる。また、吸込口７３の左右に吸引溝８０を形成しているため、使用者が本体７１を前後に動かした時に一度に広い面積を清掃できるようになる。
【００７２】
回転清掃体１ｃは、ブレード体６ｑとブラシ体６ｐを２本ずつ備えている。ブレード体６ｑに掻き取り凸部８３を形成しているので、叩打部８ｑは被清掃面１００に当接した際に叩き効果に加えて掻き取り効果を有し、被清掃面１００上に付着した髪の毛等の塵埃を確実に清掃除去できる。なお、この実施の形態によって本発明が限定されるものではなく、ブラシ体６ｐを無くして２条のブレード体６ｑのみで回転清掃体１ｃを構成しても良い。
【産業上の利用可能性】
【００７３】
以上のように、本発明に係る回転清掃体は、寝具等の内部にある塵埃やダニを叩き出し、更に寝具等の表面に張り付いた髪の毛等の塵埃を掻き上げることができるもので、掃除機用吸込具や電気掃除機に限らず、回転清掃体を用いた各種寝具等清掃用具に応用できるものである。
【符号の説明】
【００７４】
１、１ａ、１ｂ、１ｃ  回転清掃体
２、２ａ、２ｃ  ロータ
３  支持溝
４、４ａ、４ｂ、４ｃ、４ｄ  基部
５、５ｐ、６ｐ  ブラシ体
６、６ｐ、６ｑ  ブレード体
７、７ａ、７ｂ、７ｃ、７ｄ、７ｅ、７ｑ  清掃体
８、８ａ、８ｂ、８ｃ、８ｄ、８ｅ、８ｆ、８ｇ、８ｈ、８ｉ、８ｊ、８ｋ、８ｎ、８ｐ、８ｑ  叩打部
９、９ａ、９ｂ、９ｃ、９ｄ  腕部
１０、１０ａ、１０ｂ、１０ｃ、１０ｎ  被清掃面側端部
１１ａ、１１ｂ、１１ｃ、１１ｄ  打撃強化空間
１２、１２ａ  重量体
１３  結束部材
１４  端部
１５  撓み促進空間部
２０ａ、２０ｂ、２０ｃ  しなり増進部  
３０  掃除機用吸込具
３１  下ケース
３２  駆動用車輪
３３  ギヤ
３４  プーリー付きホルダー
３５  軸受けホルダー
３６  軸受け
３７  接続パイプ
３８  吸引風路
３９  吸込口
４０、７０  電気掃除機
４１、７１  本体
４２  電動送風機
４３、７３  吸込口
４４  集塵室
４５  循環風路
４６  発熱体
４７  集塵フィルタ
４８  排気フィルタ
４９  排気口
５０  ハンドル
５１  吸引弁
５２ａ、５２ｂ  シャッター
５３  自在車輪
５４  車輪
５５  電動送風機室
５６  吸引風路
５７  開口
６０  本体側コード
６１  電源側コード
６２  コードリール
６３  電源プラグ
６４  挿入穴
６５  伸縮ハンドル
６６  持ち手部
６７  伸縮部
６８  接続部
７４  大型車輪
８０  吸引溝
８１  隙間
８２  凹部
８３  掻き取り凸部
８４  吸引開口
１００  被清掃面
【図１】
2015109940.tif 000003
【図２】
2015109940.tif 000004
【図３】
2015109940.tif 000005
【図４】
2015109940.tif 000006
【図５】
2015109940.tif 000007
【図６】
2015109940.tif 000008
【図７】
2015109940.tif 000009
【図８】
2015109940.tif 000010
【図９】
2015109940.tif 000011
【図１０】
2015109940.tif 000012
【図１１】
2015109940.tif 000013
【図１２】
2015109940.tif 000014
【図１３】
2015109940.tif 000015
【図１４】
2015109940.tif 000016
【図１５】
2015109940.tif 000017